(57)【要約】【課題】空容器の輸送又は保管時にかさばらず、使用時に容器内部に貯水部が形成され、切り花等の生鮮植物を、鮮度を維持しつつ保管及び／又は輸送することができる容器を提供する。【解決手段】観賞用、儀式典礼用、医薬用及び食用のいずれかに供される生鮮植物の保管用及び／又は輸送用の容器であって、防水性内層を有する可撓性筒状体の端部を閉鎖して折り畳み可能に成形した袋体の一面に生鮮植物挿入用の開口を形成し、該開口を有する面の開口部を除く部分を覆って開口周辺部補強用の剛性又は半剛性の板状体を接合してなり、該開口を有する面を上面として折畳み状態から引き延ばされた際に、内部が貯水部となる略立方体形状の容器が形成されることを特徴とする生鮮植物の保管用及び／又は輸送用容器。【選択図】  図１
2005008247.tif 000002
【特許請求の範囲】
【請求項１】
観賞用、儀式典礼用、医薬用及び食用のいずれかに供される生鮮植物の保管用及び／又は輸送用の容器であって、防水性内層を有する可撓性筒状体の端部を閉鎖して折り畳み可能に成形した袋体の一面に生鮮植物挿入用の開口を形成し、該開口を有する面の開口部を除く部分を覆って開口周辺部補強用の剛性又は半剛性の板状体を接合してなり、該開口を有する面を上面として折畳み状態から引き延ばされた際に、内部が貯水部となる略立方体形状の容器が形成されることを特徴とする生鮮植物の保管用及び／又は輸送用容器。
【請求項２】
前記防水性内層を有する可撓性筒状体の端部を閉鎖して折り畳み可能に成形した袋体は、上面部と底面部と互いに内側に折り込まれた両側面とを有する可撓性筒状体の両端部を接合閉鎖して形成されているガセット折り構造袋の上面に生鮮植物挿入用の開口を形成した袋体であることを特徴とする請求項１記載の生鮮植物の保管用及び／又は輸送用容器。
【請求項３】
前記開口周辺部補強用の剛性又は半剛性の板状体は、袋体開口部に対応する開口を有する上面部と底面部と両側面部とを有し、両側面部が山折りに折り畳み可能に成形されている剛性又は半剛性の角筒体における上面部であり、該剛性又は半剛性の角筒体の内部に前記可撓性袋体を収納した状態で、該上面部を形成する板状体の内面が前記袋体の開口を有する上面に接合されていることを特徴とする請求項１又は２に記載の生鮮植物の保管用及び／又は輸送用容器。
【請求項４】
前記剛性又は半剛性の角筒体は、板紙又はダンボール紙によって形成されていることを特徴とする請求項１〜３のいずれか１項に記載の生鮮植物の保管用及び／又は輸送用容器。
【請求項５】
請求項１〜４のいずれか１項に記載の生鮮植物の保管用及び／又は輸送用容器を略立方体形に引き延ばした状態で、該容器形状に略一致する内径を有する筒状外装容器内に収納してなる生鮮植物の保管用及び／又は輸送用容器収納体。
【発明の詳細な説明】
【０００１】
【発明の属する技術分野】
本発明は、切り花等の生鮮植物を保管及び／又は輸送する容器に関し、より詳しくは、使用時に容器内部に貯水部を有している、生鮮植物を保管及び／又は輸送するための容器に関する。
【０００２】
【従来の技術】
従来、内部に水を保持したまま切り花等の生鮮植物を保管及び／又は輸送する手段としては、図８〜９のような硬質プラスチック製の容器が知られている。このような容器は、上面部に植物を挿入するための開口部があり、開口部に植物を挿入し、さらに容器を例えばダンボール等の外装容器に格納して保管及び／又は輸送するものである。前記開口部の縁辺は容器の底部に向って絞り込むように突出して略円錐台形の壁部８を構成しており、容器を横倒しにして植物を保管及び／又は輸送するとき、内部の水が壁部８に遮られて、容器外へこぼれにくくなっている。
【０００３】
【発明が解決しようとする課題】
しかしながら、このような従来の容器は、硬質プラスチック製のケースであるため、小さく折り畳むことができず、空容器の輸送又は保管時にかさばるという難点がある。
本発明は、かかる事情に鑑み、なされたもので、その課題は、紙、フィルム等の軟質の素材を用いて容器を小さく折り畳めるようにし、空容器の輸送又は保管時にかさばらず、使用時に容器内部に貯水部を形成する、切り花等の生鮮植物を、鮮度を維持しつつ保管及び／又は輸送することができる容器を提供することにある。
【０００４】
【課題を解決する手段】
本発明は、以下の各発明を包含する。
（１）観賞用、儀式典礼用、医薬用及び食用のいずれかに供される生鮮植物の保管用及び／又は輸送用の容器であって、防水性内層を有する可撓性筒状体の端部を閉鎖して折り畳み可能に成形した袋体の一面に生鮮植物挿入用の開口を形成し、該開口を有する面の開口部を除く部分を覆って開口周辺部補強用の剛性又は半剛性の板状体を接合してなり、該開口を有する面を上面として折畳み状態から引き延ばされた際に、内部が貯水部となる略立方体形状の容器が形成されることを特徴とする生鮮植物の保管用及び／又は輸送用容器。
【０００５】
（２）前記防水性内層を有する可撓性筒状体の端部を閉鎖して折り畳み可能に成形した袋体は、上面部と底面部と互いに内側に折り込まれた両側面とを有する可撓性筒状体の両端部を接合閉鎖して形成されているガセット折り構造袋の上面に生鮮植物挿入用の開口を形成した袋体であることを特徴とする請求項１記載の生鮮植物の保管用及び／又は輸送用容器。
【０００６】
（３）前記開口周辺部補強用の剛性又は半剛性の板状体は、袋体開口部に対応する開口を有する上面部と底面部と両側面部とを有し、両側面部が山折りに折り畳み可能に成形されている剛性又は半剛性の角筒体における上面部であり、該剛性又は半剛性の角筒体の内部に前記可撓性袋体を収納した状態で、該上面部を形成する板状体の内面が前記袋体の開口を有する上面に接合されていることを特徴とする（１）又は（２）に記載の生鮮植物の保管用及び／又は輸送用容器。
【０００７】
（４）前記剛性又は半剛性の角筒体は、板紙又はダンボール紙によって形成されていることを特徴とする（１）〜（３）のいずれか１項に記載の生鮮植物の保管用及び／又は輸送用容器。
【０００８】
前記（１）〜（４）のいずれか１項に記載の生鮮植物の保管用及び／又は輸送用容器を略立方体形に引き延ばした状態で、該容器形状に略一致する内径を有する筒状外装容器内に収納してなる生鮮植物の保管用及び／又は輸送用容器収納体。
【０００９】
【発明の実施の形態】
本発明の生鮮植物用容器を構成する袋の形態としては、例えば、筒状体の両端部を１回以上折り曲げて接着して閉鎖し、筒状体の両側壁部にひだ部を設けたひだ付き合成樹脂ラミネートクラフト紙袋の前壁部に植物を差し込むための開口部を設けた態様や、また、例えばポリエチレン等のフィルムを用いた筒状体の両端部をヒートシールで閉鎖したひだ付き袋の前壁部に植物を差し込むための開口部を設けた態様や、また、例えば少なくとも内面となる側に耐水処理を施したクラフト紙からなる筒状体の一方の端部を角底に開披し接着して閉鎖した角底袋の閉鎖していないほうの端部をそのまま植物を差し込むための開口部とする態様などがあげられる。
【００１０】
本発明の植物用容器は、前記したような袋体を、植物を差し込む開口部を上にして引き延ばして使用する。引き延ばした時には、例えば前記のように両端部を閉鎖したひだ付き袋の場合は、袋の両端部とひだ部がほぼ垂直になって側壁の役割を果たし、容器は立方体に近い形状になる。
【００１１】
本発明の植物用容器において、前記袋体の開口周辺部を剛性又は半剛性の板状体を接合して補強する手段としては、該袋体開口部に対応する開口を有する上面部と底面部と両側面部とを有し、両側面部が山折りに折り畳み可能に成形されている剛性又は半剛性の角筒体内に前記袋体を収納し、開口同士の位置を一致させた状態で角筒体上面と袋体上面を接着固定する手段があげられる。
また、袋体が前記のような角底袋の場合、上面に開口を形成し両側面に山折りの折れ線をつけた剛性又は半剛性の角筒体からなる支持部材内に袋体を収納し、角底袋の開口周縁部を支持部材の開口周縁部内面に接着固定する態様などがあげられる。
【００１２】
本発明の生鮮植物用容器は、通常、単体では使用せず、略角筒状の外装容器に格納して使用する。本発明の容器に生鮮植物を挿入した際、長茎の植物の場合は植物の葉や花が容器外へ露出した状態となり、傷がつきやすくなるが、本発明の容器ごと外装容器に格納することにより、植物の露出した部分が外装容器に保護され、傷つくのを防ぐことができる。また、本発明の容器の袋部材は軟質の素材で構成されているため、剛性又は半剛性の支持部材が山折りの折れ線部分で外側に折れ曲がりやすく、引き延ばした時の形状を容器単体で維持するのは困難だが、外装容器内に格納することで、容器の支持部材側壁に形成されている山折りの折れ線部分で外側に突出しようとする該側壁が外装容器の内壁面に当接して抑えられ、容器の形状が引き延ばした略立方体形状に安定して保持される。
【００１３】
以下、図面を参照して、本発明の実施の一形態について詳細に説明するが、本発明はこれらの実施例によって限定されるものではない。
図１は、本発明の実施の一形態である切り花を輸送する容器を外装容器に格納した状態を示す斜視図で、わかりやすくするために外装容器を一部省略してある。図２は、図１に示す容器のＡ−Ａ線における断面図、図３は、図１に示す容器を横倒しにした状態を示す斜視図で、わかりやすくするために外装容器を一部省略してある。図４は、図３に示す容器のＢ−Ｂ線における断面図、図５は、図１に示す容器を折り畳んだ状態を示す斜視図である。
【００１４】
図６は、本発明の図１とは異なる態様の容器を示す斜視図で、外装容器を省略してある。図７は、図６に示す容器のＣ−Ｃ線における断面図である。
【００１５】
図８は、従来の植物を輸送する容器の一形態を示す斜視図、図９は、図８に示す容器のＤ−Ｄ線における断面図である。図１０は、本発明の容器を外装容器に格納した一形態を示す斜視図であり、格納した状態をわかりやすくするため、外装容器を一部展開して表している。
【００１６】
図中において同一の符号は同一の意味を有し、１は植物を輸送する容器、２は紙袋、２ａ，２ｂは紙袋の壁部、３はダンボール製の支持部材（以下、支持部材という）、３ａ，３ｂ，３ｃ，３ｄ，３ｅ，３ｆは折れ線、４は開口部、４ａ，４ｂは紙袋の開口部、４ｃは支持部材の開口部、５ａは水、５ｂはパルプスラリー、６は切り花、７は外装容器、８は略円錐台形の壁部である。
【００１７】
図１及び２に示す容器１は、両端部を１回以上折り曲げて閉鎖した、ひだ付き合成樹脂ラミネートクラフト紙袋である紙袋２からなり、紙袋２は壁部２ａに開口部４ａを有し、壁部２ａ、２ｂを含む袋の長手方向全周域に支持部材３を接合し、支持部材３には開口部４ａと連通する開口部４ｃを設けている。例えば、容器１は空の状態では図５のように支持部材３に設けた折れ線３ａ，３ｂ，３ｃ，３ｄ，３ｅ，３ｆで支持部材３を山折りに折り曲げ、折り畳んだ状態で輸送又は保管する。
【００１８】
容器１で切り花６を輸送するには、折り畳み状態の容器１を上下方向に引き延ばし、容器１に水５ａを入れて貯水部を形成し、切り花６を開口部４から容器内に挿入する。さらに、容器１を直方体の外装容器７に格納し、切り花６の容器１から露出した部分を傷つけずに保護する。容器１の側壁部は折れ線３ａ〜３ｆの部位で外方に向って折れ曲がりやすいが、外装容器７に格納することで側壁部が外側に突出するように折れ曲がることを押えて防ぐ。外装容器７に格納された容器１は、そのまま垂直状態か、図３のように横倒しにして輸送される。横倒し時には、容器内の水は壁部２ａに遮られ、容器外へこぼれにくくなる。
【００１９】
図６，７に示す容器は、本発明の別の態様を示したものである。容器１の内部に水分を含んだパルプスラリー５ｂを置いて貯水部とし、切り花６を開口部４から容器１に挿入し、パルプスラリー５ｂに差し込む。パルプスラリーはスポンジ等、水分を含浸することのできる他の素材を用いてもよい。開口部４ｂは、開口部４ｃと同じ大きさにしてもよいが、図６，７に示すように、開口部４ｃよりも口部を小さく成形することにより、横倒しにしたときに、水分が容器外によりこぼれにくくなる。口部を小さくする方法としては、例えば開口部４ｃよりも小さい穴を設けたフィルムを開口部４に接合する等、他の方法を用いてもよい。
本発明の容器の素材としては、他の素材を用いてもよい。
【００２０】
【発明の効果】
本発明の生鮮植物を保管及び／又は輸送する容器は、軟質の素材を用いることにより容器を小さく折り畳み、空容器の輸送又は保管時にかさばらず、使用時に容器内に貯水部を形成し、生鮮植物を保管及び／又は輸送することができる。
【図面の簡単な説明】
【図１】本発明の実施の一形態である切り花を輸送する容器を示す斜視図であり、外装容器を一部省略した図である。
【図２】図１に示す容器のＡ−Ａ線における断面図である。
【図３】図１に示す容器を横倒しにして輸送する状態を示す斜視図であり、外装容器を一部省略した図である。
【図４】図３に示す容器のＢ−Ｂ線における断面図である。
【図５】図１に示す容器が空のとき、輸送又は保管のために容器を折り畳んだ状態を示す斜視図である。
【図６】本発明の図１とは異なる態様の容器を示す斜視図であり、外装容器を省略した図である。
【図７】図６に示す容器のＣ−Ｃ線における断面図である。
【図８】従来の植物を輸送する容器の一形態を示す斜視図である。
【図９】図８に示す容器のＤ−Ｄ線における断面図である。
【図１０】図１に示す容器を外層容器に格納した一形態を示す斜視図であり、外装容器を一部展開した図である。
【符号の説明】
１：切り花を輸送する容器、２：紙袋、２ａ，２ｂ：紙袋の壁部、３：ダンボール製の支持部材（以下、支持部材という）、３ａ，３ｂ，３ｃ，３ｄ，３ｅ，３ｆ：折れ線、４：開口部、４ａ，４ｂ：紙袋の開口部、４ｃ：支持部材の開口部、５ａ：水、５ｂ：パルプスラリー、６：切り花、７：外装容器、８：略円錐台形の壁部。
【図１】
2005008247.tif 000003
【図２】
2005008247.tif 000004
【図３】
2005008247.tif 000005
【図４】
2005008247.tif 000006
【図５】
2005008247.tif 000007
【図６】
2005008247.tif 000008
【図７】
2005008247.tif 000009
【図８】
2005008247.tif 000010
【図９】
2005008247.tif 000011
【図１０】
2005008247.tif 000012